【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
第１の無線通信システムで使用される第１の周波数帯域よりも広帯域の第２の周波数帯域または第１の周波数帯域と同一の帯域幅の第２の周波数帯域を使用する第２の無線通信システムに適用される送信機および前記第２の無線通信システムに適用される受信機を含む通信システムであって、
前記送信機は、
前記第１の無線通信システムと互換性を有し、前記第２の無線通信システムが無線媒体を占有する旨を前記第１の無線通信システムに対して通知する占有信号を発生する占有信号発生部と、
前記第２の周波数帯域におけるすべての周波数を使用して、前記占有信号を送信した後、前記第２の無線通信システムで通信を行なう期間が開始する旨を通知する開始信号を送信し、その後前記第２の無線通信システムにおける通信を行なう送信部とを備え、
前記受信機は、
前記送信機から受信した前記占有信号および前記開始信号に基づいて、前記第２の無線通信システムが無線媒体を占有する期間の開始を判定する開始判定部を備えることを特徴とする通信システム。
【請求項２】
前記占有信号発生部は、前記占有信号に対して、前記第２の無線通信システムが無線媒体を完全に占有する期間を指定する情報を設定し、
前記送信部は、前記期間内で無線媒体を占有して前記第２の無線通信システムにおける通信を行なうことを特徴とする請求項１記載の通信システム。
【請求項３】
前記占有信号発生部は、前記占有信号に対して、前記第２の無線通信システムが無線媒体の一部の期間を占有する情報を設定し、
前記送信部は、前記情報に基づいて前記一部の期間内で無線媒体を占有して前記第２の無線通信システムにおける通信を行なうことを特徴とする請求項１記載の通信システム。
【請求項４】
前記第２の周波数帯域は、帯域幅が前記第１の周波数帯域のｎ倍（ｎは自然数）であることを特徴とする請求項１から請求項３のいずれかに記載の通信システム。
【請求項５】
前記占有信号発生部は、占有信号に相当する送信データを所定のシンボル単位でｎ回（ｎは自然数）繰り返して出力するシンボル繰り返し部を備えることを特徴とする請求項４記載の通信システム。
【請求項６】
前記占有信号発生部は、前記占有信号を間欠的に発生させることを特徴とする請求項１から請求項５のいずれかに記載の通信システム。
【請求項７】
前記送信部は、前記第２の無線通信システムで通信を行なう期間が終了する旨を通知する終了信号を送信することを特徴とする請求項１から請求項６のいずれかに記載の通信システム。
【請求項８】
前記占有信号発生部は、前記第２の無線通信システムで前記開始信号を認識するための識別情報を前記開始信号に設定することを特徴とする請求項１から請求項７のいずれかに記載の通信システム。
【請求項９】
前記占有信号発生部は、
入力信号の中心周波数を予め定められた周波数に変換し、周波数変換した信号を出力する少なくとも一つの周波数変換部と、
前記入力信号および前記周波数変換部から出力された信号を加算する加算部と、を備えることを特徴とする請求項１から請求項８のいずれかに記載の通信システム。
【請求項１０】
前記受信機は、
前記送信機から受信した占有信号の１／ｎを切り出して出力する間引回路と、
前記間引回路から入力される信号を復調して受信データを出力する復調部と、を備えることを特徴とする請求項３記載の通信システム。
【請求項１１】
前記受信機は、
前記送信機から受信した前記開始信号に基づいて、前記第２の無線通信システムが無線媒体を占有する期間の開始を判定する開始判定部と、
前記期間が開始してから経過する時間を測定する測定部と、
前記期間の開始から経過する時間および前記開始信号に基づいて、前記期間の終了を判定する終了判定部と、
前記期間の開始および終了の判定結果を通知するための信号を出力する制御部と、を備えることを特徴とする請求項１記載の通信システム。
【請求項１２】
前記受信機は、
前記送信機から受信した前記開始信号に基づいて、前記第２の無線通信システムが無線媒体を占有する期間の開始を判定する開始判定部と、
前記送信機から受信した前記終了信号に基づいて、前記期間の終了を判定する終了判定部と、
前記期間の開始および終了の判定結果を通知するための信号を出力する制御部と、を備えることを特徴とする請求項７記載の通信システム。
【請求項１３】
前記受信機は、
前記送信機から受信した前記占有信号に基づいて前記識別情報を認識する認識部と、
前記識別情報が認識された場合、受信した信号の復調を行なって受信データを出力する一方、前記識別情報が認識されなかった場合は、受信動作を停止する受信部と、を備えることを特徴とする請求項８記載の通信システム。
【請求項１４】
第１の無線通信システムで使用される第１の周波数帯域よりも広帯域の第２の周波数帯域または第１の周波数帯域と同一の帯域幅の第２の周波数帯域を使用する第２の無線通信システムに適用される送信機であって、
前記第１の無線通信システムと互換性を有し、前記第２の無線通信システムが無線媒体を占有する旨を前記第１の無線通信システムに対して通知する占有信号を発生する占有信号発生部と、
前記第２の周波数帯域におけるすべての周波数を使用して、前記占有信号を送信した後、前記第２の無線通信システムで通信を行なう期間が開始する旨を通知する開始信号を送信し、その後前記第２の無線通信システムにおける通信を行なう送信部と、を備えることを特徴とする送信機。
【請求項１５】
第１の無線通信システムで使用される第１の周波数帯域よりも広帯域の第２の周波数帯域または第１の周波数帯域と同一の帯域幅の第２の周波数帯域を使用する第２の無線通信システムに適用される受信機であって、
送信機から前記第１の無線通信システムと互換性を有し、前記第２の無線通信システムが無線媒体を占有する旨を前記第１の無線通信システムに対して通知する占有信号を受信した後、前記第２の無線通信システムで通信を行なう期間が開始する旨を通知する開始信号を受信し、その後前記開始信号に基づいて、前記第２の無線通信システムが無線媒体を占有する期間の開始を判定する開始判定部と、
前記期間が開始してから経過する時間を測定する測定部と、
前記期間の開始から経過する時間および前記開始信号に基づいて、前記期間の終了を判定する終了判定部と、
前記期間の開始および終了の判定結果を通知するための信号を出力する制御部と、を備えることを特徴とする受信機。
【請求項１６】
第１の無線通信システムで使用される第１の周波数帯域よりも広帯域の第２の周波数帯域または第１の周波数帯域と同一の帯域幅の第２の周波数帯域を使用する第２の無線通信システムに適用される送信機および前記第２の無線通信システムに適用される受信機を含む通信システムの通信方法であって、
前記送信機において、
前記第１の無線通信システムと互換性を有し、前記第２の無線通信システムが無線媒体を占有する旨を前記第１の無線通信システムに対して通知する占有信号を発生するステップと、
前記第２の周波数帯域におけるすべての周波数を使用して、前記占有信号を送信した後、前記第２の無線通信システムで通信を行なう期間が開始する旨を通知する開始信号を送信し、その後前記第２の無線通信システムにおける通信を行なうステップと、を含み、
前記受信機において、
前記送信機から前記占有信号および前記開始信号を受信するステップと、
前記受信した開始信号に基づいて、前記第２の無線通信システムが無線媒体を占有する期間の開始を判定するステップと、を含むことを特徴とする通信方法。